(57)【特許請求の範囲】
【請求項１】
物体側から順に、正の屈折力の第１レンズ群、負の屈折力の第２レンズ群、正の屈折力の第３レンズ群、負の屈折力の第４レンズ群、及び正の屈折力の第５レンズ群からなるズームレンズ系において、
短焦点距離端から長焦点距離端への変倍に際し、第１レンズ群と第２レンズ群の間隔が増大し、第２レンズ群と第３レンズ群の間隔が減少し、第３レンズ群と第４レンズ群の間隔が変化し、第４レンズ群と第５レンズ群の間隔が変化すること、及び
次の条件式（１）、（２）、（７）及び（８）を満足することを特徴とするズームレンズ系。
（１）０．３０＜ｆ１／ｆｔ＜０．４３
（２）８．９９≦Ｍ２ｔ／Ｍ２ｗ＜１７．０
（７）−１２．０＜ｆ２／（（Ｄ２３ｗ−Ｄ２３ｔ）／（ｆｔ／ｆｗ））＜−７．７
（８）１２．２＜ｆ３／（（Ｄ２３ｗ−Ｄ２３ｔ）／（ｆｔ／ｆｗ））＜１６．０
但し、
ｆ１：第１レンズ群の焦点距離、
ｆ２：第２レンズ群の焦点距離、
ｆ３：第３レンズ群の焦点距離、
ｆｗ：短焦点距離端における全系の焦点距離、
ｆｔ：長焦点距離端における全系の焦点距離、
Ｍ２ｗ：短焦点距離端における無限遠合焦時の第２レンズ群の横倍率、
Ｍ２ｔ：長焦点距離端における無限遠合焦時の第２レンズ群の横倍率、
Ｄ２３ｗ：短焦点距離端における第２レンズ群と第３レンズ群の空気間隔、
Ｄ２３ｔ：長焦点距離端における第２レンズ群と第３レンズ群の空気間隔。
【請求項２】
請求項１記載のズームレンズ系において、
第２レンズ群は、物体側から順に、像側に凹面を向けた負レンズ、正レンズ、負レンズ、及び正レンズの４枚のレンズからなり、次の条件式（３）を満足するズームレンズ系。
（３）２０＜（ν２２＋ν２４）／２＜３５
但し、
ν２２：第２レンズ群中の物体側の正レンズのｄ線に対するアッベ数、
ν２４：第２レンズ群中の像側の正レンズのｄ線に対するアッベ数。
【請求項３】
請求項１記載のズームレンズ系において、
第２レンズ群は、物体側から順に、像側に凹面を向けた負レンズ、負レンズ、及び正レンズの３枚のレンズからなり、次の条件式（３'）を満足するズームレンズ系。
（３'）２０＜ν２３'＜３５
但し、
ν２３'：第２レンズ群中の正レンズのｄ線に対するアッベ数。
【請求項４】
請求項１記載のズームレンズ系において、
第２レンズ群は、物体側から順に、像側に凹面を向けた負レンズ、負レンズ、負レンズ、及び正レンズの４枚のレンズからなり、次の条件式（３''）を満足するズームレンズ系。
（３''）２０＜ν２４''＜３５
但し、
ν２４''：第２レンズ群中の正レンズのｄ線に対するアッベ数。
【請求項５】
請求項１ないし４のいずれか１項記載のズームレンズ系において、
第１レンズ群は、物体側から順に、負レンズ、正レンズ、及び正レンズの３枚のレンズからなるズームレンズ系。
【請求項６】
請求項５記載のズームレンズ系において、
次の条件式（４）を満足するズームレンズ系。
（４）（ν１２＋ν１３）／２＞７５
但し、
ν１２：第１レンズ群中の物体側の正レンズのｄ線に対するアッベ数、
ν１３：第１レンズ群中の像側の正レンズのｄ線に対するアッベ数。
【請求項７】
請求項５または６記載のズームレンズ系において、
次の条件式（５）を満足するズームレンズ系。
（５）３０＜ν１１＜４５
但し、
ν１１：第１レンズ群中の負レンズのｄ線に対するアッベ数。
【請求項８】
請求項５ないし７のいずれか１項記載のズームレンズ系において、
第１レンズ群中の負レンズと物体側の正レンズは接合されているズームレンズ系。
【請求項９】
請求項１ないし８のいずれか１項記載のズームレンズ系において、
次の条件式（６）を満足するズームレンズ系。
（６）１．３＜Ｍ４ｍ／Ｍ４ｗ＜１．８
但し、
Ｍ４ｍ：中間焦点距離ｆｍ（ｆｍ＝（ｆｗ・ｆｔ）1/2、ｆｗは短焦点距離端における全系の焦点距離、ｆｔは長焦点距離端における全系の焦点距離）における無限遠合焦時の第４レンズ群の横倍率、
Ｍ４ｗ：短焦点距離端における無限遠合焦時の第４レンズ群の横倍率。
【請求項１０】
請求項１ないし９のいずれか１項記載のズームレンズ系において、
第３レンズ群は、物体側から順に、正レンズ、物体側から順に位置する正レンズと負レンズの接合レンズ、及び正レンズの４枚のレンズからなり、次の条件式（９）を満足するズームレンズ系。
（９）１．５２＜（ｎ３１＋ｎ３２＋ｎ３４）／３＜１．６０
但し、
ｎ３１：第３レンズ群中の最も物体側の正レンズのｄ線に対する屈折率、
ｎ３２：第３レンズ群中の物体側から２番目の正レンズのｄ線に対する屈折率、
ｎ３４：第３レンズ群中の最も像側の正レンズのｄ線に対する屈折率。
【請求項１１】
請求項１ないし１０のいずれか１項記載のズームレンズ系において、
少なくとも一部のズーミング域で、第４レンズ群と第５レンズ群の双方がフォーカシング時に移動するフォーカスレンズ群を構成するズームレンズ系。
【請求項１２】
請求項１１記載のズームレンズ系において、
第４レンズ群は負単レンズからなるズームレンズ系。
【請求項１３】
請求項１１記載のズームレンズ系において、
第４レンズ群は、物体側から順に、負レンズ及び正レンズの２枚のレンズからなるズームレンズ系。
【請求項１４】
請求項１１ないし１３のいずれか１項記載のズームレンズ系において、
第５レンズ群は正単レンズからなるズームレンズ系。
【発明の詳細な説明】
【技術分野】
【０００１】
本発明は、ズームレンズ系に関する。
【背景技術】
【０００２】
特許文献１−３には、物体側から順に、正の屈折力の第１レンズ群、負の屈折力の第２レンズ群、正の屈折力の第３レンズ群、負の屈折力の第４レンズ群、及び正の屈折力の第５レンズ群からなるズームレンズ系が開示されている。
【０００３】
このうち、特許文献１のズームレンズ系は、変倍比が１６倍〜１８倍程度と高変倍化が不十分であるか、テレ比（長焦点距離端における焦点距離とレンズ全長との比）が１．０程度と小型化（レンズ全長の短縮化）が不十分である。また、特許文献２のズームレンズ系は変倍比が１０倍〜１５倍程度であり、特許文献３のズームレンズ系は変倍比が１５倍〜２０倍程度であって、いずれも高変倍化が不十分である。
【先行技術文献】
【特許文献】
【０００４】
【特許文献１】特開２０１１−１８６４１７号公報
【特許文献２】特開２０１１−２３２５４３号公報
【特許文献３】特開２０１１−２５２９６２号公報
【発明の概要】
【発明が解決しようとする課題】
【０００５】
本発明は、以上の問題意識に基づいて完成されたものであり、変倍比が２５〜３０倍程度の高変倍化とテレ比が０．７程度の小型化（レンズ全長の短縮化）を達成することができるズームレンズ系を得ることを目的とする。
【課題を解決するための手段】
【０００６】
本発明のズームレンズ系は、物体側から順に、正の屈折力の第１レンズ群、負の屈折力の第２レンズ群、正の屈折力の第３レンズ群、負の屈折力の第４レンズ群、及び正の屈折力の第５レンズ群からなるズームレンズ系において、短焦点距離端から長焦点距離端への変倍に際し、第１レンズ群と第２レンズ群の間隔が増大し、第２レンズ群と第３レンズ群の間隔が減少し、第３レンズ群と第４レンズ群の間隔が変化し、第４レンズ群と第５レンズ群の間隔が変化すること、及び次の条件式（１）、（２）、（７）及び（８）を満足することを特徴としている。
（１）０．３０＜ｆ１／ｆｔ＜０．４３
（２）８．９９≦Ｍ２ｔ／Ｍ２ｗ＜１７．０
（７）−１２．０＜ｆ２／（（Ｄ２３ｗ−Ｄ２３ｔ）／（ｆｔ／ｆｗ））＜−７．７
（８）１２．２＜ｆ３／（（Ｄ２３ｗ−Ｄ２３ｔ）／（ｆｔ／ｆｗ））＜１６．０
但し、
ｆ１：第１レンズ群の焦点距離、
ｆ２：第２レンズ群の焦点距離、
ｆ３：第３レンズ群の焦点距離、
ｆｗ：短焦点距離端における全系の焦点距離、
ｆｔ：長焦点距離端における全系の焦点距離、
Ｍ２ｗ：短焦点距離端における無限遠合焦時の第２レンズ群の横倍率、
Ｍ２ｔ：長焦点距離端における無限遠合焦時の第２レンズ群の横倍率、
Ｄ２３ｗ：短焦点距離端における第２レンズ群と第３レンズ群の空気間隔、
Ｄ２３ｔ：長焦点距離端における第２レンズ群と第３レンズ群の空気間隔、
である。 
【０００７】
本発明のズームレンズ系は、第２レンズ群を、物体側から順に、像側に凹面を向けた負レンズ、正レンズ、負レンズ、及び正レンズの４枚のレンズから構成し、次の条件式（３）を満足することが好ましい。
（３）２０＜（ν２２＋ν２４）／２＜３５
但し、
ν２２：第２レンズ群中の物体側の正レンズのｄ線に対するアッベ数、
ν２４：第２レンズ群中の像側の正レンズのｄ線に対するアッベ数、
である。
【０００８】
あるいは、本発明のズームレンズ系は、第２レンズ群を、物体側から順に、像側に凹面を向けた負レンズ、負レンズ、及び正レンズの３枚のレンズから構成し、次の条件式（３’）を満足することが好ましい。
（３’）２０＜ν２３’＜３５
但し、
ν２３’：第２レンズ群中の正レンズのｄ線に対するアッベ数、
である。
【０００９】
あるいは、本発明のズームレンズ系は、第２レンズ群を、物体側から順に、像側に凹面を向けた負レンズ、負レンズ、負レンズ、及び正レンズの４枚のレンズから構成し、次の条件式（３’’）を満足することが好ましい。
（３’’）２０＜ν２４’’＜３５
但し、
ν２４’’：第２レンズ群中の正レンズのｄ線に対するアッベ数、
である。
【００１０】
本発明のズームレンズ系は、第１レンズ群を、物体側から順に、負レンズ、正レンズ、及び正レンズの３枚のレンズから構成することができる。
【００１１】
本発明のズームレンズ系は、次の条件式（４）を満足することが好ましい。
（４）（ν１２＋ν１３）／２＞７５
但し、
ν１２：第１レンズ群中の物体側の正レンズのｄ線に対するアッベ数、
ν１３：第１レンズ群中の像側の正レンズのｄ線に対するアッベ数、
である。
【００１２】
本発明のズームレンズ系は、次の条件式（５）を満足することが好ましい。
（５）３０＜ν１１＜４５
但し、
ν１１：第１レンズ群中の負レンズのｄ線に対するアッベ数、
である。
【００１３】
本発明のズームレンズ系は、条件式（５）が規定する条件式範囲の中でも、次の条件式（５’）を満足することが好ましい。
（５’）３５＜ν１１＜４５
【００１４】
第１レンズ群中の負レンズと物体側の正レンズは接合することが好ましい。
【００１５】
本発明のズームレンズ系は、次の条件式（６）を満足することが好ましい。
（６）１．３＜Ｍ４ｍ／Ｍ４ｗ＜１．８
但し、
Ｍ４ｍ：中間焦点距離ｆｍ（ｆｍ＝（ｆｗ・ｆｔ）1/2、ｆｗは短焦点距離端における全系の焦点距離、ｆｔは長焦点距離端における全系の焦点距離）における無限遠合焦時の第４レンズ群の横倍率、
Ｍ４ｗ：短焦点距離端における無限遠合焦時の第４レンズ群の横倍率、
である。
【００１７】
本発明のズームレンズ系は、第３レンズ群を、物体側から順に、正レンズ、物体側から順に位置する正レンズと負レンズの接合レンズ、及び正レンズの４枚のレンズから構成し、次の条件式（９）を満足することが好ましい。
（９）１．５２＜（ｎ３１＋ｎ３２＋ｎ３４）／３＜１．６０
但し、
ｎ３１：第３レンズ群中の最も物体側の正レンズのｄ線に対する屈折率、
ｎ３２：第３レンズ群中の物体側から２番目の正レンズのｄ線に対する屈折率、
ｎ３４：第３レンズ群中の最も像側の正レンズのｄ線に対する屈折率、
である。
【００１８】
本発明のズームレンズ系は、少なくとも一部のズーミング域で、第４レンズ群と第５レンズ群の双方がフォーカシング時に移動するフォーカスレンズ群を構成することが好ましい。
【００１９】
第４レンズ群は負単レンズから構成することができる。あるいは、第４レンズ群は、物体側から順に、負レンズ及び正レンズの２枚のレンズから構成することもできる。
【００２０】
第５レンズ群は正単レンズから構成することができる。
【発明の効果】
【００２１】
本発明によれば、変倍比が２５〜３０倍程度の高変倍化とテレ比が０．７程度の小型化（レンズ全長の短縮化）を達成することができるズームレンズ系が得られる。
【図面の簡単な説明】
【００２２】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系のズーム軌跡を示す簡易移動図である。
【発明を実施するための形態】
【００２３】
本実施形態のズームレンズ系は、全数値実施例１−６を通じて、図２５の簡易移動図に示すように、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる。
【００２４】
本実施形態のズームレンズ系は、全数値実施例１−６を通じて、短焦点距離端（Ｗｉｄｅ）から長焦点距離端（Ｔｅｌｅ）への変倍（ズーミング）に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少し、第４レンズ群Ｇ４と第５レンズ群Ｇ５の間隔が増大するように、第１レンズ群Ｇ１ないし第５レンズ群Ｇ５の全てのレンズ群が移動する。但し、短焦点距離端から長焦点距離端への変倍に際し、第３レンズ群Ｇ３と第４レンズ群Ｇ４の間隔が増加し若しくは殆ど変わらない態様、又は第４レンズ群Ｇ４と第５レンズ群Ｇ５の間隔が減少し若しくは殆ど変わらない態様も可能である。
【００２５】
より具体的には、短焦点距離端から長焦点距離端への変倍に際し、第１レンズ群Ｇ１は単調に物体側に移動し、第２レンズ群Ｇ２は単調に像側に移動し、第３レンズ群Ｇ３は単調に物体側に移動し、第４レンズ群Ｇ４は単調に物体側に移動し、第５レンズ群Ｇ５は一旦物体側に移動してから像側に戻る（Ｕターンする）ようにして結果的に物体側に移動する。但し、第１レンズ群Ｇ１ないし第５レンズ群Ｇ５の移動軌跡には自由度がある。
【００２６】
第１レンズ群Ｇ１は、全数値実施例１−６を通じて、物体側から順に、物体側から順に位置する負レンズ１１と正レンズ１２の接合レンズ、及び正レンズ１３の３枚のレンズからなる。
【００２７】
第２レンズ群Ｇ２は、数値実施例１−４では、物体側から順に、負レンズ（像側に凹面を向けた負レンズ）２１、正レンズ２２、負レンズ２３、及び正レンズ２４の４枚のレンズからなる。負レンズ２１はその両面が非球面である。
第２レンズ群Ｇ２は、数値実施例５では、物体側から順に、負レンズ（像側に凹面を向けた負レンズ）２１’、負レンズ２２’、及び正レンズ２３’の３枚のレンズからなる。負レンズ２２’はその両面が非球面である。
第２レンズ群Ｇ２は、数値実施例６では、物体側から順に、負レンズ（像側に凹面を向けた負レンズ）２１’’、負レンズ２２’’、及び物体側から順に位置する負レンズ２３’’と正レンズ２４’’の接合レンズの４枚のレンズからなる。負レンズ２２’’はその両面が非球面である。
【００２８】
第３レンズ群Ｇ３は、全数値実施例１−６を通じて、物体側から順に、正レンズ３１、物体側から順に位置する正レンズ３２と負レンズ３３の接合レンズ、及び正レンズ３４の４枚のレンズからなる。正レンズ３１は、全数値実施例１−６を通じて、その両面が非球面である。正レンズ３４は、数値実施例１−５ではその両面が球面であり、数値実施例６ではその両面が非球面である。
【００２９】
第４レンズ群Ｇ４は、数値実施例１−４、６では、負単レンズ４１からなる。この負単レンズ４１は、数値実施例１、２、４、６ではその両面が非球面であり、数値実施例３ではその両面が球面である。
第４レンズ群Ｇ４は、数値実施例５では、物体側から順に、負レンズ４１’及び正レンズ４２’の２枚のレンズからなる。正レンズ４２’はその両面が非球面である。
【００３０】
第５レンズ群は、全数値実施例１−６を通じて、その両面が非球面である正単レンズ５１からなる。
【００３１】
本実施形態のズームレンズ系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる５群ズームレンズ構成において、第１レンズ群Ｇ１のパワーと第２レンズ群Ｇ２が受け持つ変倍負担を最適設定することで、変倍比が２５〜３０倍程度の高変倍化とテレ比が０．７程度の小型化（レンズ全長の短縮化）を達成することに成功している。
【００３２】
条件式（１）は、第１レンズ群Ｇ１の焦点距離と、長焦点距離端における全系の焦点距離との比を規定している。条件式（１）を満足することで、特に長焦点距離端でのレンズ全長を短縮化するとともに、色収差を良好に補正して優れた光学性能を得ることができる。
条件式（１）の上限を超えると、第１レンズ群Ｇ１のパワーが弱くなりすぎるため、特に長焦点距離端でのレンズ全長が増大してしまう。
条件式（１）の下限を超えると、第１レンズ群Ｇ１のパワーが強くなりすぎるため、特に色収差が補正困難となって光学性能が劣化してしまう。
【００３３】
条件式（２）は、短焦点距離端から長焦点距離端への変倍に際する第２レンズ群Ｇ２の横倍率の変化、すなわち第２レンズ群Ｇ２が受け持つ変倍負担を規定している。条件式（２）を満足することで、高変倍化を達成するとともに、コマ収差などを良好に補正して優れた光学性能を得ることができる。
条件式（２）の上限を超えると、第２レンズ群Ｇ２が受け持つ変倍負担が大きくなりすぎるため、特にコマ収差が補正困難となって光学性能が劣化してしまう。
条件式（２）の下限を超えると、第２レンズ群Ｇ２が受け持つ変倍負担が小さくなりすぎるため、高い変倍化が得られなくなる。
【００３４】
本実施形態のズームレンズ系では、数値実施例１−４において、第２レンズ群Ｇ２が、物体側から順に、像側に凹面を向けた負レンズ２１、正レンズ２２、負レンズ２３、及び正レンズ２４の４枚のレンズから構成されている。
条件式（３）はこの構成において、第２レンズ群Ｇ２中の２枚の正レンズ２２、２４のｄ線に対するアッベ数の平均値を規定している。条件式（３）を満足することで、倍率色収差を良好に補正して優れた光学性能を得ることができる。
条件式（３）の上限を超えると、倍率色収差が補正不足となって光学性能が劣化してしまう。
条件式（３）の下限を超えると、倍率色収差が過剰補正となって光学性能が劣化してしまう。
【００３５】
本実施形態のズームレンズ系では、数値実施例５において、第２レンズ群Ｇ２が、物体側から順に、像側に凹面を向けた負レンズ２１’、負レンズ２２’、及び正レンズ２３’の３枚のレンズから構成されている。
条件式（３’）はこの構成において、第２レンズ群Ｇ２中の正レンズ２３’のｄ線に対するアッベ数を規定している。条件式（３’）を満足することで、倍率色収差を良好に補正して優れた光学性能を得ることができる。
条件式（３’）の上限を超えると、倍率色収差が補正不足となって光学性能が劣化してしまう。
条件式（３’）の下限を超えると、倍率色収差が過剰補正となって光学性能が劣化してしまう。
【００３６】
本実施形態のズームレンズ系では、数値実施例６において、物体側から順に、像側に凹面を向けた負レンズ２１’’、負レンズ２２’’、及び物体側から順に位置する負レンズ２３’’と正レンズ２４’’の接合レンズの４枚のレンズから構成されている。
条件式（３’’）はこの構成において、第２レンズ群Ｇ２中の正レンズ２４’’ のｄ線に対するアッベ数を規定している。条件式（３’’）を満足することで、倍率色収差を良好に補正して優れた光学性能を得ることができる。
条件式（３’’）の上限を超えると、倍率色収差が補正不足となって光学性能が劣化してしまう。
条件式（３’’）の下限を超えると、倍率色収差が過剰補正となって光学性能が劣化してしまう。
【００３７】
本実施形態のズームレンズ系では、第１レンズ群Ｇ１が、物体側から順に、負レンズ１１、正レンズ１２、及び正レンズ１３の３枚のレンズからなる。また負レンズ１１と正レンズ１２を接合することで、両レンズの位置誤差（偏芯誤差）で生じる諸収差を抑えるとともに、製造過程での性能低下を防止することができる。
【００３８】
条件式（４）は、第１レンズ群Ｇ１をこのように構成した上で、第１レンズ群Ｇ１中の２枚の正レンズ１２、１３のｄ線に対するアッベ数の平均値を示している。条件式（４）を満足することで、軸上色収差を良好に補正して優れた光学性能を得ることができる。
条件式（４）の下限を超えると、軸上色収差が補正不足となって光学性能が劣化してしまう。
【００３９】
条件式（５）及び（５’）は、第１レンズ群Ｇ１を上記のように構成した上で、第１レンズ群Ｇ１中の負レンズ１１のｄ線に対するアッベ数を規定している。条件式（５）を満足することで、軸上色収差を良好に補正して優れた光学性能を得ることができる。
条件式（５）の上限を超えると、軸上色収差が補正不足となって光学性能が劣化してしまう。
条件式（５）の下限を超えると、軸上色収差が過剰補正となって光学性能が劣化してしまう。
【００４０】
条件式（６）は、中間焦点距離ｆｍ（ｆｍ＝（ｆｗ・ｆｔ）1/2、ｆｗは短焦点距離端における全系の焦点距離、ｆｔは長焦点距離端における全系の焦点距離）から長焦点距離端までの第４レンズ群Ｇ４の横倍率の変化を規定している。条件式（６）を満足することで、コマ収差や倍率色収差を良好に補正して優れた光学性能を得るとともに、変倍時における第３レンズ群Ｇ３と第４レンズ群Ｇ４の間隔変化を抑えてメカ構成を小型化、簡素化することができる。
条件式（６）の上限を超えると、コマ収差や倍率色収差が補正困難となって光学性能が劣化してしまう。
条件式（６）の下限を超えると、変倍時における第３レンズ群Ｇ３と第４レンズ群Ｇ４の間隔変化が増大してメカ構成が大型化、複雑化してしまう。
【００４１】
条件式（７）及び（８）は、変倍時における第２レンズ群Ｇ２と第３レンズ群Ｇ３の間隔変化を規定している。条件式（７）及び（８）を満足することで、変倍時における第２レンズ群Ｇ２と第３レンズ群Ｇ３の間隔変化を抑えてレンズ全長（特に沈胴長）を短縮化するとともに、コマ収差や倍率色収差を良好に補正して優れた光学性能を得ることができる。
条件式（７）の上限または条件式（８）の下限を超えると、コマ収差や倍率色収差の補正が不十分となって光学性能が劣化してしまう。
条件式（７）の下限または条件式（８）の上限を超えると、変倍時における第２レンズ群Ｇ２と第３レンズ群Ｇ３の間隔変化が大きくなってレンズ全長（特に沈胴長）が長くなってしまう。
【００４２】
本実施形態のズームレンズ系では、第３レンズ群Ｇ３が、物体側から順に、正レンズ３１、物体側から順に位置する正レンズ３２と負レンズ３３の接合レンズ、及び正レンズ３４の４枚のレンズから構成されている。
条件式（９）はこの構成において、第３レンズ群Ｇ３中の３枚の正レンズ３１、３２、３４のｄ線に対するアッベ数の平均値を規定している。条件式（９）を満足することで、像面湾曲を良好に補正して優れた光学性能を得ることができる。
条件式（９）の上限を超えると、像面湾曲が過剰補正となって光学性能が劣化してしまう。
条件式（９）の下限を超えると、像面湾曲が補正不足となって光学性能が劣化してしまう。
【００４３】
例えば第４レンズ群Ｇ４と第５レンズ群Ｇ５のいずれか一方のみによってフォーカシングを行うタイプでは、短焦点距離端から長焦点距離端までの全てのズーミング域で無限遠物体から近距離物体への合焦時の光学性能を良好にするのは極めて困難であり、無理にこれを達成するためにはレンズ系の大型化が避けられない。また、フォーカスレンズに要求されるフォーカシング移動量はズーミング域によって異なり、特に長焦点距離端や短焦点距離端などの変倍時にレンズ群が接近するズーミング域においては、フォーカシング移動量が大きいとレンズ系の小型化の障害となる。
【００４４】
そこで、本実施形態のズームレンズ系では、無限遠物体から有限距離物体へ合焦させるに際し、少なくとも一部のズーミング域で、第４レンズ群Ｇ４と第５レンズ群Ｇ５の双方がフォーカスレンズ群を構成することで、ズーム全域で近距離性能を良好にするとともに、レンズ系を小型化することに成功している。また数値実施例１−４、６のように、フォーカスレンズ群である第４レンズ群Ｇ４と第５レンズ群Ｇ５を負単レンズ４１と正単レンズ５１で構成することで、フォーカス駆動機構への負担を軽減して迅速なフォーカシングを実現可能としている。
【実施例】
【００４５】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４６】
［数値実施例１］
図１〜図４と表１〜表４は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はレンズ群データである。
【００４７】
本数値実施例１のズームレンズ系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる。第２レンズ群Ｇ２と第３レンズ群Ｇ３の間に位置する絞りＳは、第３レンズ群Ｇ３と一体に移動する。第５レンズ群Ｇ５の後方（像面Ｉとの間）には、光学フィルタＯＰが配置されている。
【００４８】
第１レンズ群Ｇ１は、物体側から順に、物体側に凸の負メニスカスレンズ１１、両凸正レンズ１２、及び物体側に凸の正メニスカスレンズ１３からなる。負メニスカスレンズ１１と両凸正レンズ１２は接合されている。
【００４９】
第２レンズ群Ｇ２は、物体側から順に、両凹負レンズ２１、両凸正レンズ２２、両凹負レンズ２３、及び物体側に凸の正メニスカスレンズ２４からなる。両凹負レンズ２１はその両面が非球面である。
【００５０】
第３レンズ群Ｇ３は、物体側から順に、両凸正レンズ３１、両凸正レンズ３２、両凹負レンズ３３、及び両凸正レンズ３４からなる。両凸正レンズ３１はその両面が非球面である。両凸正レンズ３２と両凹負レンズ３３は接合されている。
【００５１】
第４レンズ群Ｇ４は、その両面が非球面である両凹負単レンズ４１からなる。
【００５２】
第５レンズ群Ｇ５は、その両面が非球面である物体側に凸の正メニスカス単レンズ５１からなる。
【００５３】
（表１）
面データ
面番号          r          d          N(d)        νｄ
1            54.191      1.100      1.83400       37.3
2            25.314      4.360      1.43700       95.1
3          -201.636      0.100
4            24.998      3.150      1.59282       68.6
5           221.867        d5
6*          -97.487      0.700      1.76802       49.2
7*            6.175      2.520
8           120.000      1.110      1.80518       25.5
9           -37.780      0.890
10          -10.701      0.600      1.77250       49.6
11           16.905      0.050
12           12.601      1.660      1.92286       20.9
13          106.459       d13
14絞          ∞         0.000
15*           6.970      3.100      1.62041       60.3
16*         -15.974      0.100
17           23.731      2.000      1.59349       67.0
18           -7.480      0.500      1.88300       40.8
19            5.742      0.480
20            7.585      2.110      1.48749       70.4
21           -7.585       d21
22*         -14.589      1.350      1.49710       81.6
23*          24.410       d23
24*          13.500      1.900      1.54358       55.7
25*          71.516       d25
26             ∞        0.800      1.51680       64.2
27             ∞          -
＊は回転対称非球面である。
（表２）
各種データ
ズーム比（変倍比）    29.50
短焦点距離端          中間焦点距離          長焦点距離端
FNO.            3.5                   5.4                   6.3
f              4.55                 24.71                134.21
W              40.5                   9.0                   1.7
Y              3.66                  3.85                  3.85
fB             1.13                  1.13                  1.13
L             59.67                 75.44                 87.00
d5            0.500                18.747                31.170
d13          20.406                 7.298                 0.600
d21           3.420                 4.868                 2.220
d23           2.632                 4.525                17.349
d25           3.000                10.294                 5.951
（表３）
非球面データ（表示していない非球面係数は0.00である）
面番号   K          A4           A6           A8          A10
6     0.000    0.3392E-03  -0.3614E-05   0.7695E-08
7     0.000    0.2671E-03   0.6951E-05   0.4191E-06
15   -1.000   -0.1010E-03  -0.7181E-05  -0.7905E-07  -0.9870E-07
16    0.000   -0.7388E-04  -0.2511E-05  -0.2285E-05
22    0.000    0.3893E-03   0.1268E-03  -0.1232E-04   0.4136E-06
23    0.000    0.4992E-03   0.7303E-04  -0.4028E-05
24    0.000   -0.3981E-03  -0.9094E-05  -0.2257E-06  -0.1793E-07
25    0.000   -0.5597E-03  -0.8508E-05  -0.5520E-06
（表４）
レンズ群データ
群          始面          焦点距離
1              1             43.50
2              6             -5.80
3             15             10.58
4             22            -18.16
5             24             30.27
【００５４】
［数値実施例２］
図５〜図８と表５〜表８は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表５は面データ、表６は各種データ、表７は非球面データ、表８はレンズ群データである。
【００５５】
この数値実施例２のレンズ構成は、以下の点を除いて、数値実施例１のレンズ構成と同様である。
（１）第２レンズ群Ｇ２の負レンズ２１が物体側に凸の負メニスカスレンズである。
（２）第２レンズ群Ｇ２の正レンズ２２が物体側に凸の正メニスカスレンズである。
【００５６】
（表５）
面データ
面番号          r          d          N(d)        νｄ
1            52.022      1.200      1.83400       37.3
2            26.690      3.870      1.43700       95.1
3          -815.000      0.100
4            26.245      2.870      1.59282       68.6
5           141.051        d5
6*          277.755      0.700      1.76802       49.2
7*            6.109      2.290
8            23.476      1.110      1.83400       37.3
9            77.531      1.280
10          -11.291      0.600      1.72916       54.7
11           18.397      0.100
12           14.180      1.600      1.92286       20.9
13          214.655       d13
14絞           ∞        0.000
15*           6.882      3.000      1.58913       61.2
16*         -16.690      0.100
17           18.144      1.770      1.61800       63.4
18           -7.560      0.500      1.88300       40.8
19            5.941      0.540
20            8.192      2.000      1.48749       70.4
21           -8.192       d21
22*         -16.371      0.750      1.49710       81.6
23*          20.810       d23
24*          11.500      1.900      1.54358       55.7
25*          38.151       d25
26             ∞        0.800      1.51680       64.2
27             ∞          -
＊は回転対称非球面である。
（表６）
各種データ
ズーム比（変倍比）    25.70
短焦点距離端          中間焦点距離          長焦点距離端
FNO.            3.4                   5.1                   6.2
f              4.60                 23.32                118.21
W              40.1                   9.6                   2.0
Y              3.66                  3.85                  3.85
fB             1.13                  1.13                  1.13
L             59.31                 73.46                 89.00
d5            0.500                20.183                34.769
d13          21.477                 6.898                 0.550
d21           3.652                 5.707                 3.380
d23           2.971                 4.318                16.324
d25           2.500                 8.142                 5.767
（表７）
非球面データ（表示していない非球面係数は0.00である）
面番号   K          A4           A6           A8          A10
6     0.000    0.1964E-03  -0.8192E-06  -0.7889E-08
7     0.000    0.9621E-04   0.4721E-05   0.1088E-06   0.5578E-08
15   -1.000   -0.6951E-04  -0.9894E-05  -0.2533E-06  -0.7626E-07
16    0.000   -0.6760E-04  -0.1161E-04  -0.1752E-05
22    0.000    0.3497E-03   0.1071E-03  -0.8486E-05   0.1665E-06
23    0.000    0.3250E-03   0.8845E-04  -0.5074E-05
24    0.000   -0.5012E-03  -0.2570E-05  -0.3980E-06  -0.7153E-08
25    0.000   -0.5890E-03  -0.9475E-05  -0.3322E-06
（表８）
レンズ群データ
群          始面          焦点距離
1              1             49.63
2              6             -6.58
3             15             10.59
4             22            -18.31
5             24             29.54
【００５７】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表９は面データ、表１０は各種データ、表１１は非球面データ、表１２はレンズ群データである。
【００５８】
この数値実施例３のレンズ構成は、以下の点を除いて、数値実施例１のレンズ構成と同様である。
（１）第２レンズ群Ｇ２の負レンズ２１が物体側に凸の負メニスカスレンズである。
（２）第３レンズ群Ｇ３の正レンズ３２が像側に凸の正メニスカスレンズである。
（３）第４レンズ群Ｇ４の両凹負単レンズ４１の両面が球面である（非球面ではない）。
【００５９】
（表９）
面データ
面番号          r          d          N(d)        νｄ
1            57.168      1.100      1.83400       37.3
2            28.280      3.960      1.43700       95.1
3          -222.809      0.100
4            27.005      2.760      1.59282       68.6
5           132.315        d5
6*           77.038      0.700      1.76802       49.2
7*            5.714      2.620
8           198.755      1.120      1.80518       25.5
9           -35.245      0.990
10          -10.046      0.600      1.77250       49.6
11           36.128      0.050
12           17.171      1.510      1.92286       20.9
13         1027.000       d13
14絞           ∞        0.000
15*           6.208      2.810      1.58913       61.2
16*         -11.970      0.370
17          -65.523      1.280      1.59349       67.0
18           -9.468      0.500      1.88300       40.8
19            5.750      0.300
20            7.139      2.170      1.48749       70.4
21           -7.139       d21
22          -22.688      0.700      1.48749       70.4
23           10.732       d23
24*          11.062      1.890      1.54358       55.7
25*          83.344       d25
26             ∞        0.800      1.51680       64.2
27             ∞          -
＊は回転対称非球面である。
（表１０）
各種データ
ズーム比（変倍比）    28.40
短焦点距離端          中間焦点距離          長焦点距離端
FNO.            3.5                   5.4                   5.7
f              4.55                 24.25                129.26
W              40.3                   9.2                   1.8
Y              3.66                  3.85                  3.85
fB             1.13                  1.13                  1.13
L             60.76                 76.10                 85.91
d5            0.500                20.882                37.151
d13          23.022                 7.679                 0.510
d21           4.478                 6.615                 2.190
d23           2.300                 3.997                12.493
d25           3.000                 9.971                 6.109
（表１１）
非球面データ（表示していない非球面係数は0.00である）
面番号   K          A4           A6           A8          A10
6     0.000   -0.5061E-04   0.3184E-05  -0.3044E-07
7     0.000   -0.2665E-03  -0.1987E-05   0.9815E-07
15   -1.000   -0.4633E-04  -0.5047E-05  -0.3654E-06  -0.2132E-06
16    0.000    0.2465E-03  -0.1666E-05  -0.4308E-05
24    0.000   -0.1920E-03   0.7269E-05  -0.3978E-06
25    0.000   -0.2953E-03   0.4467E-05  -0.3315E-06
（表１２）
レンズ群データ
群          始面          焦点距離
1              1             49.79
2              6             -6.61
3             15             10.94
4             22            -14.84
5             24             23.25
【００６０】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１３は面データ、表１４は各種データ、表１５は非球面データ、表１６はレンズ群データである。
【００６１】
この数値実施例４のレンズ構成は、以下の点を除いて、数値実施例１のレンズ構成と同様である。
（１）第２レンズ群Ｇ２の負レンズ２１が物体側に凸の負メニスカスレンズである。
【００６２】
（表１３）
面データ
面番号          r          d          N(d)        νｄ
1            49.763      1.000      1.83400       37.3
2            25.447      4.070      1.43700       95.1
3          -915.180      0.100
4            25.647      3.115      1.59282       68.6
5           168.170        d5
6*          160.000      0.700      1.80139       45.5
7*            6.438      2.565
8           241.109      0.960      1.84666       23.8
9           -68.089      0.933
10          -12.394      0.600      1.77250       49.6
11           27.839      0.050
12           15.175      1.494      1.94594       18.0
13           99.287       d13
14絞           ∞        0.000
15*           6.752      2.559      1.58913       61.2
16*         -18.432      0.100
17           23.740      1.962      1.59349       67.0
18          -23.740      0.500      1.91082       35.2
19            5.980      0.618
20           10.071      1.827      1.51680       64.2
21           -9.336       d21
22*         -17.157      0.900      1.49710       81.6
23*          19.577       d23
24*          13.807      1.790      1.54358       55.7
25*          87.760       d25
26             ∞        0.800      1.51680       64.2
27             ∞          -
＊は回転対称非球面である。
（表１４）
各種データ
ズーム比（変倍比）    28.64
短焦点距離端          中間焦点距離          長焦点距離端
FNO.            3.5                   5.4                   6.3
f              4.65                 24.88                133.13
W              39.9                   9.0                   1.7
Y              3.66                  3.85                  3.85
fB             1.13                  1.13                  1.13
L             60.60                 74.85                 87.15
d5            0.500                19.754                33.346
d13          22.950                 8.040                 0.607
d21           4.226                 5.420                 2.229
d23           2.148                 4.256                18.073
d25           3.000                 9.606                 5.117
（表１５）
非球面データ（表示していない非球面係数は0.00である）
面番号   K          A4           A6           A8          A10
6     0.000    0.2053E-03  -0.1724E-05  -0.2256E-08
7     0.000    0.2196E-03   0.4016E-05   0.2814E-06
15   -1.000   -0.2530E-03  -0.1310E-04  -0.7718E-06  -0.1516E-06
16    0.000   -0.2137E-03  -0.4987E-05  -0.3406E-05
22    0.000   -0.4112E-03   0.1721E-03  -0.1367E-04   0.3495E-06
23    0.000   -0.3589E-03   0.1246E-03  -0.6374E-05
24    0.000   -0.3388E-03  -0.7076E-05  -0.2408E-06  -0.1778E-07
25    0.000   -0.4836E-03  -0.5767E-05  -0.6390E-06
（表１６）
レンズ群データ
群          始面          焦点距離
1              1             47.00
2              6             -6.64
3             15             10.94
4             22            -18.25
5             24             29.89
【００６３】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表１７は面データ、表１８は各種データ、表１９は非球面データ、表２０はレンズ群データである。
【００６４】
この数値実施例５のレンズ構成は、以下の点を除いて、数値実施例１のレンズ構成と同様である。
（１）第２レンズ群Ｇ２が、物体側から順に、両凹負レンズ２１’、両凹負レンズ２２’、及び両凸正レンズ２３’からなる。両凹負レンズ２２’はその両面が非球面である。
（２）第４レンズ群Ｇ４が、物体側から順に、物体側に凸の負メニスカスレンズ４１’及び物体側に凸の正メニスカスレンズ４２’からなる。正メニスカスレンズ４２’はその両面が非球面である。
【００６５】
（表１７）
面データ
面番号          r          d          N(d)        νｄ
1            44.127      1.400      1.91082       35.2
2            28.427      4.145      1.43700       95.1
3          -295.287      0.100
4            27.741      3.188      1.49700       81.6
5           167.781        d5
6          -347.569      1.000      1.88300       40.8
7             5.631      3.223
8*          -20.110      0.800      1.80139       45.5
9*           32.428      0.100
10           21.246      1.903      1.92286       20.9
11          -35.676       d11
12絞           ∞        0.000
13*           6.175      3.650      1.58913       61.2
14*         -12.377      0.100
15           37.490      2.044      1.59282       68.6
16           -7.898      0.500      1.88300       40.8
17            5.079      0.177
18            6.063      2.296      1.43700       95.1
19           -7.712       d19
20         1117.352      0.500      1.83481       42.7
21            6.747      0.100
22*           8.643      1.174      1.82115       24.1
23*          22.452       d23
24*          14.700      1.285      1.54358       55.7
25*          32.340       d25
26             ∞        0.800      1.51680       64.2
27             ∞          -
＊は回転対称非球面である。
（表１８）
各種データ
ズーム比（変倍比）    28.64
短焦点距離端          中間焦点距離          長焦点距離端
FNO.            3.5                   5.7                   6.1
f              4.40                 23.54                125.97
W              41.4                   9.3                   1.8
Y              3.66                  3.85                  3.85
fB             1.13                  1.14                  1.14
L             65.77                 78.37                 84.51
d5            0.500                20.222                34.728
d11          28.127                11.144                 0.500
d19           2.216                 2.092                 2.000
d23           2.308                 3.822                10.658
d25           3.000                11.465                 6.997
（表１９）
非球面データ（表示していない非球面係数は0.00である）
面番号   K          A4           A6           A8          A10
8     0.000   -0.4379E-03   0.2739E-04  -0.6431E-06
9     0.000   -0.5677E-03   0.2330E-04  -0.6858E-06
13   -1.000    0.4327E-05  -0.6376E-06  -0.1742E-06  -0.6569E-07
14    0.000    0.2375E-03  -0.3033E-05  -0.1840E-05
22    0.000   -0.5517E-03  -0.7009E-05   0.4718E-06
23    0.000   -0.8000E-03  -0.4699E-05  -0.5869E-06
24    0.000   -0.9263E-03  -0.3292E-04  -0.7583E-06  -0.1009E-06
25    0.000   -0.1200E-02  -0.2441E-04  -0.2053E-05
（表２０）
レンズ群データ
群          始面          焦点距離
1              1             49.15
2              6             -7.07
3             13             10.89
4             20            -15.52
5             24             48.34
【００６６】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４はそれぞれ、短焦点距離端、中間焦点距離、長焦点距離端それぞれの無限遠合焦時の諸収差図である。表２１は面データ、表２２は各種データ、表２３は非球面データ、表２４はレンズ群データである。
【００６７】
この数値実施例６のレンズ構成は、以下の点を除いて、数値実施例１のレンズ構成と同様である。
（１）第１レンズ群Ｇ１の正レンズ１２が物体側に凸の正メニスカスレンズである。
（２）第２レンズ群Ｇ２が、物体側から順に、物体側に凸の負メニスカスレンズ２１’’、両凹負レンズ２２’’、物体側に凸の負メニスカスレンズ２３’’、及び物体側に凸の正メニスカスレンズ２４’’からなる。両凹負レンズ２２’’はその両面が非球面である。負メニスカスレンズ２３’’と正メニスカスレンズ２４’’は接合されている。
（３）第３レンズ群Ｇ３の両凸正レンズ３４の両面が非球面である（球面ではない）。
【００６８】
（表２１）
面データ
面番号          r          d          N(d)        νｄ
1            49.106      1.200      1.83400       37.3
2            25.975      3.867      1.43700       95.1
3          2072.123      0.100
4            27.591      2.923      1.59282       68.6
5           205.675        d5
6            23.356      0.700      1.80420       46.5
7             5.248      3.145
8*          -14.217      0.800      1.75501       51.2
9*           17.035      0.400
10           13.816      0.600      1.82999       45.3
11           10.856      1.599      1.92286       20.9
12           87.793       d12
13絞           ∞        0.000
14*           6.689      2.716      1.58313       59.5
15*         -26.365      0.100
16           10.366      1.561      1.57146       57.7
17          -15.782      0.500      1.91082       35.2
18            5.847      0.643
19*          11.048      1.591      1.58313       59.5
20*         -11.623       d20
21*         -24.619      0.800      1.75501       51.2
22*          23.629       d22
23*          11.863      2.200      1.54358       55.7
24*         173.559       d24
25             ∞        0.800      1.51680       64.2
26             ∞          -
＊は回転対称非球面である。
（表２２）
各種データ
ズーム比（変倍比）    28.64
短焦点距離端          中間焦点距離          長焦点距離端
FNO.            3.4                   5.2                   5.7
f              4.60                 24.61                131.65
W              40.2                   9.0                   1.7
Y              3.66                  3.85                  3.85
fB             1.13                  1.12                  1.12
L             58.22                 74.59                 88.24
d5            0.500                21.193                36.969
d12          20.235                 6.411                 0.595
d20           2.758                 6.191                 2.153
d22           2.800                 3.689                14.700
d24           4.553                 9.742                 6.460
（表２３）
非球面データ（表示していない非球面係数は0.00である）
面番号   K          A4           A6           A8          A10
8     0.000   -0.8226E-03  -0.4248E-05   0.2355E-05  -0.7956E-07
9     0.000   -0.7621E-03   0.8735E-05   0.2040E-05  -0.7203E-07
14   -1.000   -0.1168E-03  -0.9074E-05   0.4438E-07  -0.6724E-07
15    0.000   -0.2755E-03   0.3132E-05  -0.1749E-05
19    0.000    0.2355E-03   0.4099E-04   0.9986E-06
20    0.000    0.3069E-03   0.2513E-04   0.2058E-05
21    0.000   -0.2564E-03   0.1422E-03  -0.1086E-04   0.1806E-06
22    0.000   -0.1886E-03   0.1147E-03  -0.6573E-05
23    0.000   -0.5074E-04   0.3754E-05  -0.7970E-06   0.9041E-08
24    0.000   -0.6235E-04   0.1314E-05  -0.9750E-06   0.1582E-07
（表２４）
レンズ群データ
群          始面          焦点距離
1              1             49.79
2              6             -6.09
3             14             10.29
4             21            -15.86
5             23             23.31
【００６９】
各数値実施例の各条件式に対する値を表２５に示す。
（表２５）
実施例１        実施例２        実施例３
条件式（１）         0.32            0.42            0.39
条件式（２）        11.73            8.99           16.41
条件式（３）         23.2 29.1 23.2
条件式（３'）         -               -               -
条件式（３''）       -               -               -
条件式（４）         81.9 81.9 81.9
条件式（５）         37.3 37.3 37.3
条件式（６）         1.64            1.45            1.72
条件式（７）        -8.64           -8.08           -8.34
条件式（８）        15.76           13.01           13.80
条件式（９）         1.57            1.56            1.56
実施例４        実施例５        実施例６
条件式（１）         0.35            0.39            0.38
条件式（２）        11.51           10.63           14.12
条件式（３）         20.9              -               -
条件式（３'）         -             20.9              -
条件式（３''）       -               -             20.9
条件式（４）         81.9 88.4 81.9
条件式（５）         37.3 35.2 37.3
条件式（６）         1.59            1.63            1.60
条件式（７）        -8.51           -7.33           -8.88
条件式（８）        14.03           11.29           15.01
条件式（９）         1.57            1.54            1.58
【００７０】
以上の説明および諸収差図から明らかなように、数値実施例１〜数値実施例６では諸収差が比較的よく補正されている。
【符号の説明】
【００７１】
Ｇ１  正の屈折力の第１レンズ群
１１  負レンズ
１２  正レンズ
１３  正レンズ
Ｇ２  負の屈折力の第２レンズ群
２１  負レンズ（像側に凹面を向けた負レンズ）
２２  正レンズ
２３  負レンズ
２４  正レンズ
２１’  負レンズ（像側に凹面を向けた負レンズ）
２２’  負レンズ
２３’  正レンズ
２１’’  負レンズ（像側に凹面を向けた負レンズ）
２２’’  負レンズ
２３’’  負レンズ
２４’’  正レンズ
Ｇ３  正の屈折力の第３レンズ群
３１  正レンズ
３２  正レンズ
３３  負レンズ
３４  正レンズ
Ｇ４  負の屈折力の第４レンズ群
４１  負単レンズ
４１’  負レンズ
４２’  正レンズ
Ｇ５  正の屈折力の第５レンズ群
５１  正単レンズ
Ｓ  絞り
ＯＰ  光学フィルタ
Ｉ  像面
【図１】
0005972020.tif 000002
【図２】
0005972020.tif 000003
【図３】
0005972020.tif 000004
【図４】
0005972020.tif 000005
【図５】
0005972020.tif 000006
【図６】
0005972020.tif 000007
【図７】
0005972020.tif 000008
【図８】
0005972020.tif 000009
【図９】
0005972020.tif 000010
【図１０】
0005972020.tif 000011
【図１１】
0005972020.tif 000012
【図１２】
0005972020.tif 000013
【図１３】
0005972020.tif 000014
【図１４】
0005972020.tif 000015
【図１５】
0005972020.tif 000016
【図１６】
0005972020.tif 000017
【図１７】
0005972020.tif 000018
【図１８】
0005972020.tif 000019
【図１９】
0005972020.tif 000020
【図２０】
0005972020.tif 000021
【図２１】
0005972020.tif 000022
【図２２】
0005972020.tif 000023
【図２３】
0005972020.tif 000024
【図２４】
0005972020.tif 000025
【図２５】
0005972020.tif 000026